(57)【要約】【課題】本発明は、送り機構の駆動軸の直径を細く形成しても、光ディスク装置の製品搬送時やユーザの持ち運び時における振動や落下時の衝撃等によって光ピックアップを駆動するための駆動軸が永久変形することがないよう構成し、小型化及び薄型化を実現した光ディスク装置を提供することを目的とする。【解決手段】本発明に係る光ディスク装置は、光ピックアップ部の外面から所定距離を有してサポート部材を配設し、光ピックアップ部の異常動作時な変動幅を駆動軸の耐力以内とするよう構成した。【選択図】図４
2005122827.tif 000002
【特許請求の範囲】
【請求項１】
光ディスクを載置して回転駆動するディスク駆動手段、
前記ディスク駆動手段に載置された光ディスクの記録又は再生を行う光ピックアップ部、
前記光ピックアップ部を前記ディスク駆動手段に載置された光ディスクの径方向に駆動する駆動軸を有する送り機構、及び
前記光ピックアップ部の外面から所定距離を有して形成され、前記光ピックアップ部の異常動作時の変動幅を前記所定距離内とするサポート部材、
を具備することを特徴とする光ディスク装置。
【請求項２】
サポート部材の光ピックアップ部の外面からの配設距離を駆動軸の耐力以内に設定された請求項１に記載の光ディスク装置。
【請求項３】
光ピックアップ部には、駆動軸を回転可能に支持するシャーシに形成され前記光ピックアップ部の移動方向を案内するガイド部と係合する係合部と、前記駆動軸と螺合する貫通孔の近傍に形成され載置された光ディスクの記録面と平行で前記駆動軸の中心軸と直交する方向に突設された当接部と、が設けられており、
サポート部材は、載置された光ディスクの記録面と平行な面において前記光ピックアップ部に対して所定距離Ａを有して対向する前記ガイド部の対向面と、載置された光ディスクの記録面と平行で前記駆動軸の中心軸と直交する方向において前記当接部に対して所定距離Ｂを有し、載置された光ディスクの記録面と直交する方向において前記当接部に対して所定距離Ｃを有して前記シャーシに形成されたリブと、を少なくとも有して構成された請求項１又は２に記載の光ディスク装置。
【請求項４】
サポート部材のリブが、光ピックアップ部における載置された光ディスクの記録面と対向する方向への移動を所定距離Ｃ以内に規定し、配線基板が、前記光ピックアップ部における載置された光ディスクの記録面と対向する面と反対側の面から所定距離Ｄを有して配置された請求項３に記載の光ディスク装置。
【請求項５】
サポート部材のリブが、光ピックアップ部における載置された光ディスクの記録面と対向する方向への移動を所定距離Ｃ以内に規定し、装置外観を形成するケースが、前記光ピックアップ部における載置された光ディスクの記録面と対向する面と反対側の面から所定距離Ｄを有して配置された請求項３に記載の光ディスク装置。
【請求項６】
光ピックアップ部において当接部と係合部が両端近傍に形成され、載置された光ディスクの記録面と平行で前記駆動軸の中心軸と直交する方向における前記当接部から前記係合部への方向を＋Ｘ方向とし、前記係合部から前記当接部への方向を−Ｘ方向とするとともに、載置された光ディスクの記録面と直交する方向における載置された光ディスクへの方向を＋Ｚ方向とし、載置された光ディスクと反対の方向を−Ｚ方向とし、
ガイド部の対向面が、係合部の＋Ｘ方向の移動を所定距離Ａ以内に規定し、
リブが、前記当接部の−Ｘ方向の移動を所定距離Ｂ以内に規定し、かつ前記当接部の＋Ｚ方向の移動を所定距離Ｃ以内に規定するとともに、
配線基板が、前記光ピックアップ部の−Ｚ方向の移動を所定距離Ｄ以内に規定するよう構成された請求項４に記載の光ディスク装置。
【請求項７】
光ピックアップ部において当接部と係合部が両端近傍に形成され、載置された光ディスクの記録面と平行で前記駆動軸の中心軸と直交する方向における前記当接部から前記係合部への方向を＋Ｘ方向とし、前記係合部から前記当接部への方向を−Ｘ方向とするとともに、載置された光ディスクの記録面と直交する方向における載置された光ディスクへの方向を＋Ｚ方向とし、載置された光ディスクと反対の方向を−Ｚ方向とし、
ガイド部の対向面が、係合部の＋Ｘ方向の移動を所定距離Ａ以内に規定し、
リブが、前記当接部の−Ｘ方向の移動を所定距離Ｂ以内に規定し、かつ前記当接部の＋Ｚ方向の移動を所定距離Ｃ以内に規定するとともに、
ケースが、前記光ピックアップ部の−Ｚ方向の移動を所定距離Ｄ以内に規定するよう構成された請求項５に記載の光ディスク装置。
【請求項８】
配線基板において、実装部品が光ピックアップ部と対向する面以外に設けられた請求項４に記載の光ディスク装置。
【請求項９】
配線基板をさらに有し、前記配線基板は光ピックアップ部と対向する位置を切り欠いた形状である請求項５に記載の光ディスク装置。
【発明の詳細な説明】
【技術分野】
【０００１】
本発明は、記録媒体である光ディスクに対する情報の記録や再生を行うことができる光ディスク装置に関するものである。
【背景技術】
【０００２】
近年、記録媒体である光ディスクを光ピックアップにより読取り再生する光ディスク装置において、小型化、薄型化及び高性能化が進んでおり、特に携帯用の光ディスク装置としてミニディスク（ＭＤ）を用いた携帯用ＭＤプレーヤが一般的に普及している。
【０００３】
以下、従来の光ディスク装置について、特許文献１に開示された携帯用ＭＤプレーヤを一例として説明する。
図１０は特許文献１に開示された従来の携帯用ＭＤプレーヤの断面図である。図１０に示すように、携帯用ＭＤプレーヤは開閉可能な上蓋１０１ａとその上蓋１０１ａを回動可能に保持する下ケース１０１ｂとにより構成された外装ケース１０１により外観が形成されている。図１０において、（ａ）は上蓋１０１ａが下ケース１０１ｂを開放した状態を示しており、（ｂ）は上蓋１０１ａが下ケース１０１ｂを閉じた状態を示している。
【０００４】
図１０の（ａ）に示すように、上蓋１０１ａが下ケース１０１ｂを開放した状態で光ディスク１００を収納したミニディスクケース（以下ＭＤケースと記す）１０２が装着される。光ディスク１００には音楽情報等の各種情報が記録されている。下ケース１０１ｂのほぼ中央には、スピンドルモータ１０３が配置されており、スピンドルモータ１０３の上部にはＭＤケース１０２内の光ディスク１００を載置して回転させるターンテーブル１０４が設けられている。また、下ケース１０１ｂの内部には、ＭＤケース１０１内の光ディスク１００の情報を読み取る光ピックアップ１０５と、その光ピックアップ１０５を光ディスク１００の直径方向へ移動させるための送り機構１０６が設けられている。符号１０７は送り機構１０６の一部である駆動軸であり、光ピックアップ１０５が螺合している。この駆動軸１０７は送り機構１０６におけるシャーシ（図示なし）に回転可能に支持されており、駆動軸１０７を回転させることにより、駆動軸１０７に螺合した光ピックアップ１０５が光ディスクの直径方向へ移動するよう構成されている。
【０００５】
また、下ケース１０１ｂの内部において、送り機構１０６の下部には、ＭＤケース１０２内の光ディスク１００を再生するために必要な電気部品及び電気回路が配設された配線基板１０８が設けられている。
【０００６】
上記のように構成された、従来の携帯用のＭＤプレーヤにおいて、光ピックアップ１０５が光ディスク１００の情報を確実に読み込むために、光ピックアップ１０５と光ディスク１００との相対距離を許容範囲内になるように設定している。
【特許文献１】特開平１１−０９６７４７号公報（第２−３頁、第１図）
【発明の開示】
【発明が解決しようとする課題】
【０００７】
上記のように構成された従来の携帯型の光ディスク装置において、小型化及び薄型化が進むと、送り機構１０６の小型化が必須となり、駆動軸１０７の直径を細くする必要がある。駆動軸１０７の直径を細くすると、光ディスク装置が携帯型機器であるため、製品搬送時やユーザによる持ち運びの時の振動や落下によって光ピックアップの重量によって駆動軸１０７が撓みやすくなる。この結果、光ディスク装置の持ち運びの時に生じる僅かの振動や誤って床に落した時の落下時の衝撃等で駆動軸１０７が永久変形する場合があった。もし、駆動軸１０７が永久変形した場合には、光ピックアップ１０５と光ディスク１００との相対距離が許容範囲内から外れて光ディスクの情報を正確に読めなくなるおそれがあった。したがって、ディスク装置における駆動軸の直径を細くすることによる装置の小型化及び薄型化には限界があった。
【０００８】
本発明は、送り機構の駆動軸の直径を細く形成しても、光ディスク装置の製品搬送時やユーザによる持ち運び時等における振動や落下時の衝撃によって光ピックアップを駆動するための駆動軸が永久変形することがないよう構成し、小型化及び薄型化を実現した光ディスク装置を提供することを目的とする。
【課題を解決するための手段】
【０００９】
上記目的を達成するために、本発明に係る光ディスク装置は、請求項１に記載したように、光ディスクを載置して回転駆動するディスク駆動手段、
前記ディスク駆動手段に載置された光ディスクの記録又は再生を行う光ピックアップ部、
前記光ピックアップ部を前記ディスク駆動手段に載置された光ディスクの径方向に駆動する駆動軸を有する送り機構、及び
前記光ピックアップ部の外面から所定距離を有して形成され、前記光ピックアップ部の異常動作時の変動幅を前記所定距離内とするサポート部材、を具備する。このように構成された光ディスク装置は、送り機構の駆動軸の直径を細く形成しても、光ディスク装置の製品搬送時や持ち運び時等における振動や落下時の衝撃によって駆動軸が永久変形することがなく、光ディスク装置の小型化及び薄型化を実現できる。
【００１０】
本発明に係る光ディスク装置は、請求項２に記載したように、請求項１のサポート部材の光ピックアップ部の外面からの配設距離を駆動軸の耐力以内に設定されている。このように構成された光ディスク装置は、送り機構の駆動軸の直径を細く形成しても、光ディスク装置の製品搬送時や持ち運び時等における振動や落下時の衝撃によって駆動軸が永久変形することはない。
【００１１】
本発明に係る光ディスク装置は、請求項３に記載したように、請求項１又は２の光ピックアップ部には、駆動軸を回転可能に支持するシャーシに形成され前記光ピックアップ部の移動方向を案内するガイド部と係合する係合部と、前記駆動軸と螺合する貫通孔の近傍に形成され載置された光ディスクの記録面と平行で前記駆動軸の中心軸と直交する方向に突設された当接部と、が設けられており、
サポート部材は、載置された光ディスクの記録面と平行な面において前記光ピックアップ部に対して所定距離Ａを有して対向する前記ガイド部の対向面と、載置された光ディスクの記録面と平行で前記駆動軸の中心軸と直交する方向において前記当接部に対して所定距離Ｂを有し、載置された光ディスクの記録面と直交する方向において前記当接部に対して所定距離Ｃを有して前記シャーシに形成されたリブと、を少なくとも有して構成されている。このように構成された光ディスク装置は、送り機構の駆動軸の直径を細く形成しても、光ディスク装置の製品搬送時や持ち運び時等における振動や落下時の衝撃によって駆動軸が永久変形することはない。
【００１２】
本発明に係る光ディスク装置は、請求項４に記載したように、請求項３のサポート部材のリブが、光ピックアップ部における載置された光ディスクの記録面と対向する方向への移動を所定距離Ｃ以内に規定し、配線基板が、前記光ピックアップ部における載置された光ディスクの記録面と対向する面と反対側の面から所定距離Ｄを有して配置されている。このように構成された光ディスク装置は、送り機構の駆動軸の直径を細く形成しても、光ディスク装置の製品搬送時や持ち運び時等における振動や落下時の衝撃が加わったとき駆動軸の撓み量が規制されているため駆動軸が永久変形することはない。
【００１３】
本発明に係る光ディスク装置は、請求項５に記載したように、請求項３のサポート部材のリブが、光ピックアップ部における載置された光ディスクの記録面と対向する方向への移動を所定距離Ｃ以内に規定し、装置外観を形成するケースが、前記光ピックアップ部における載置された光ディスクの記録面と対向する面と反対側の面から所定距離Ｄを有して配置されている。このように構成された光ディスク装置は、送り機構の駆動軸の直径を細く形成しても、光ディスク装置の製品搬送時や持ち運び時等における振動や落下時の衝撃が加わったとき駆動軸の撓み量が規制されているため駆動軸が永久変形することはない。
【００１４】
本発明に係る光ディスク装置は、請求項６に記載したように、請求項４の光ピックアップ部において当接部と係合部が両端近傍に形成され、載置された光ディスクの記録面と平行で前記駆動軸の中心軸と直交する方向における前記当接部から前記係合部への方向を＋Ｘ方向とし、前記係合部から前記当接部への方向を−Ｘ方向とするとともに、載置された光ディスクの記録面と直交する方向における載置された光ディスクへの方向を＋Ｚ方向とし、載置された光ディスクと反対の方向を−Ｚ方向とし、
ガイド部の対向面が、係合部の＋Ｘ方向の移動を所定距離Ａ以内に規定し、
リブが、前記当接部の−Ｘ方向の移動を所定距離Ｂ以内に規定し、かつ前記当接部の＋Ｚ方向の移動を所定距離Ｃ以内に規定するとともに、
配線基板が、前記光ピックアップ部の−Ｚ方向の移動を所定距離Ｄ以内に規定するよう構成されている。このように構成された光ディスク装置は、送り機構の駆動軸の直径を細く形成しても、光ディスク装置の製品搬送時や持ち運び時等における振動や落下時の衝撃が加わったときＸ方向とＺ方向の駆動軸の撓み量が規制されているため駆動軸が永久変形することはない。
【００１５】
本発明に係る光ディスク装置は、請求項７に記載したように、請求項５の光ピックアップ部において当接部と係合部が両端近傍に形成され、載置された光ディスクの記録面と平行で前記駆動軸の中心軸と直交する方向における前記当接部から前記係合部への方向を＋Ｘ方向とし、前記係合部から前記当接部への方向を−Ｘ方向とするとともに、載置された光ディスクの記録面と直交する方向における載置された光ディスクへの方向を＋Ｚ方向とし、載置された光ディスクと反対の方向を−Ｚ方向とし、
ガイド部の対向面が、係合部の＋Ｘ方向の移動を所定距離Ａ以内に規定し、
リブが、前記当接部の−Ｘ方向の移動を所定距離Ｂ以内に規定し、かつ前記当接部の＋Ｚ方向の移動を所定距離Ｃ以内に規定するとともに、
ケースが、前記光ピックアップ部の−Ｚ方向の移動を所定距離Ｄ以内に規定するよう構成されている。このように構成された光ディスク装置は、送り機構の駆動軸の直径を細く形成しても、光ディスク装置の製品搬送時や持ち運び時等における振動や落下時の衝撃が加わったときＸ方向とＺ方向の駆動軸の撓み量が規制されているため駆動軸が永久変形することはない。
【００１６】
本発明に係る光ディスク装置は、請求項８に記載したように、請求項４の配線基板において、実装部品が光ピックアップ部と対向する面以外に設けられている。このように構成された光ディスク装置は、光ピックアップ部が配線基板の実装部品のない位置を移動するよう構成して、装置の小型化及び薄型化が図られる。
【００１７】
本発明に係る光ディスク装置は、請求項９に記載したように、請求項５の配線基板をさらに有し、前記配線基板は光ピックアップ部と対向する位置を切り欠いた形状である。このように構成された光ディスク装置は、光ピックアップ部の移動する位置に配線基板が配設されておらず、装置外観となるケースがサポート部材の一部となるため、装置の小型化及び薄型化が図られる。
【発明の効果】
【００１８】
本発明によれば、送り機構の駆動軸の直径を細く形成しても、光ディスク装置の製品搬送時や持ち運び時等における振動や落下時の衝撃によって光ピックアップ部を駆動するための駆動軸の永久変形がなくなり、小型化及び薄型化を実現した光ディスク装置を提供することができる。
本発明によれば、振動や落下時の衝撃が光ディスク装置に加わり、光ピックアップ部に伝わったとしても、その光ピックアップ部を駆動する駆動軸の撓み量が規制されているため、駆動軸の永久変形が防止されており、信頼性の高い小型化及び薄型化の光ディスク装置を提供することができる。
本発明によれば、信頼性の高い小型化及び薄型化の光ディスク装置を簡単な構成で実現することができる。
【発明を実施するための最良の形態】
【００１９】
以下、本発明に係る光ディスク装置の好ましい実施の形態を添付の図面を用いて説明する。
【００２０】
《実施の形態１》
図１は本発明に係る実施の形態１の光ディスク装置を示す分解斜視図である。図２は実施の形態１の光ディスク装置における光ピックアップ部を示す斜視図であり、図３は実施の形態１の光ディスク装置の断面図であり主要部分の配置を示している。
【００２１】
実施の形態１の光ディスク装置は、ミニディスクケース（以下ＭＤケースと記す）の中に収納された光ディスクを記録再生する装置であり、前述の従来の光ディスク装置より小型化及び薄型化を達成した装置である。実施の形態１の光ディスク装置は、後述するように光ピックアップ部を光ディスクの直径方向へ移動させるための送り機構が小型化及び薄型化されており、送り機構における駆動軸が細く形成されている。なお、実施の形態１の光ディスク装置においては、記録再生機能を有する装置について説明するが、再生機能のみの光ディスク装置にも適用可能である。
以下の実施の形態１の説明においては、光ディスクが水平方向に配置された状態で使用されることを前提で説明するが、これは実施の形態１の光ディスク装置における光ディスクの使用状態を水平方向に特定するものではなく、鉛直方向に使用することも可能である。
【００２２】
図１の斜視図に示すように、実施の形態１の光ディスク装置においては、シャーシ１の中央に光ディスク７を載置するターンテーブル３とこのターンテーブル３を回転駆動するスピンドルモータ２が設けられている。シャーシ１の下部には、送り機構４が設けられており、この送り機構４がネジ溝が形成された駆動軸５を回転させることにより、光ピックアップ部６を光ディスク７の径方向に移動できるよう構成されている。駆動軸５の両端はシャーシ１に回転可能な状態で支持されている。
【００２３】
図１において、符号８はＭＤケースを示しており、その中に光ディスク７が収納されている。シャーシ１の上部には、ＭＤケース８を保持するホルダー９とさらにその上側には上蓋１０が設けられている。シャーシ１の下部には、光ディスク装置の各機能を駆動制御するために必要な電気部品及び電気回路を有する配線基板１１と、さらにその下側には下ケース１２が設けられている。なお、配線基板１１における上側（シャーシ１側）の実装部品は、光ピックアップ部６の移動する位置に配設されていない構成である。したがって、光ピックアップ部６は配線基板１１の上面に近接して配置されている。
【００２４】
図２に示すように、光ピックアップ部６は、光ディスク７に対して記録再生するためのレーザを出力するためのレンズ６ａを有している。また、駆動軸５の回転動作により駆動される光ピックアップ部６には、駆動軸５と螺合する２つのネジ孔６ｂ、６ｂが形成されている。駆動軸５がネジ孔６ｂ、６ｂと螺合して回転することにより、光ピックアップ部６がターンテーブル３上に載置された光ディスク７の径方向に移動するよう構成されている。また、光ピックアップ部６には、各ネジ孔６ｂ、６ｂを形成する２つの突出部分の端部に当接部である凸部６ｃ、６ｃが水平方向に突出するよう形成されている。さらに、駆動軸５に対してレンズ６ａを間にした凸部６ｃ、６ｃと反対側の位置の端部には、係合部である凹部６ｄが形成されている。
【００２５】
図３は光ピックアップ部６とシャーシ１と配線基板１１の配置を示す断面図である。図４及び図５は光ピックアップ部６とシャーシ１と配線基板１１との位置関係を示す拡大図である。
図３及び図４に示すように、光ピックアップ部６の一方の端部に設けられている凹部６ｄは、シャーシ１に直線上に形成されたガイド部１ａを隙間なく挟むように構成されている。ガイド部１ａは、光ピックアップ部６の移動方向を案内するものであり、ターンテーブル３上の光ディスク７の径方向に延設されている。
また、図３及び図５に示すように、光ピックアップ部６の２つの凸部６ｃ、６ｃの上方には、シャーシ１に直線上に形成されたリブ１ｂが所定間隔を有して配設されている。さらに、光ピックアップ部６の下方には配線基板１１が所定間隔を有して配設されている。
【００２６】
以上のように、実施の形態１の光ディスク装置においては、光ピックアップ部６のネジ孔６ｂ、６ｂに駆動軸５が螺合して光ピックアップ部６が駆動されるとともに、光ピックアップ部６の外面から所定距離を有してシャーシ１のリブ１ｂや配線基板１１のサポート部材が配設されている。また、光ピックアップ部６の一方の端部に設けられている凹部６ｄは、シャーシ１に形成されたガイド部１ａに対して上下方向においては隙間なく挟むように構成されている。しかし、凹部６ｄとガイド部１ａとの係合において、水平方向ではガイド部１ａの対向面１ｃと凹部６ｄとは所定間隔を有しており、ガイド部１ａの対向面１ｃがサポート部材となっている。実施の形態１においては、ガイド部１ａ、リブ１ｂ、及び配線基板１１がサポート部材である。
【００２７】
図４及び図５において、駆動軸５の中心を光ピックアップ部６の基準点として、Ｘ方向（図４における水平面において、光ピックアップ部６の移動方向と直交する方向）、Ｚ方向（図４における水平面に直交する方向）を示し、光ピックアップ部６の外面からそれぞれのサポート部材までの距離を示している。
図４及び図５においては、光ピックアップ部６とシャーシ１のガイド部１ａの対向面１ｃとの水平方向の隙間を記号「Ａ」で示し、この隙間Ａを＋Ｘ方向の隙間とする。光ピックアップ部６とシャーシ１のリブ１ｂとの水平方向の隙間を記号「Ｂ」で示し、この隙間Ｂを−Ｘ方向の隙間とする。光ピックアップ部６とシャーシ１のリブ１ｂとの鉛直方向の隙間を記号「Ｃ」で示し、この隙間Ｃを＋Ｚ方向の隙間とする。さらに、光ピックアップ部６と配線基板１１の上面との隙間を記号「Ｄ」で示し、この隙間Ｄを−Ｚ方向の隙間とする。
【００２８】
以下、実施の形態１の光ディスク装置における実際の寸法と材質を示す。
駆動軸５の直径は１.３ミリであり、材質はＳＵＳ４２０である。光ピックアップ部６の重量は約３グラムである。光ピックアップ部６とシャーシ１の＋Ｘ方向の隙間Ａは約０.２ｍｍであり、−Ｘ方向の隙間Ｂは約０.２ｍｍであり、＋Ｚ方向の隙間Ｃは約０.２ｍｍであり、−Ｚ方向の隙間Ｄは約０.４ｍｍに設定されている。
駆動軸５の耐力は、駆動軸５を単品で測定し、その両端を支持して中央を押圧していく方法にて測定した。その結果、実施の形態１の駆動軸５は、撓み量１ｍｍ、押圧力１０Ｎ（＝１ｋｇ）で永久変形した。この数値が、いわゆる駆動軸５の耐力である。
【００２９】
以上のように構成された実施の形態１の光ディスク装置の製品出荷後の輸送途中において、製品である光ディスク装置に対して振動や衝撃が加わる場合がある。また、ユーザが使用中においても、実施の形態１の光ディスク装置が携帯型であるため、持ち運びによる振動や、不注意な取り扱いにより製品を落下させて衝撃を与える場合がある。これらの振動や衝撃が製品である光ディスク装置に加わると、構成部品の各々に、（部品の重量）×（衝撃重力加速度値）で示される力が加わる。たとえば、実際に製品を１ｍの高さから落下させるとその衝撃重力加速度値は、約１０００Ｇ発生する。この衝撃力が、実施の形態１の光ディスク装置における光ピックアップ部６（重量：３グラム）に加わると、その力は下記式（１）で求められる力が発生する。
【００３０】
０.００３（Ｋｇ）×１０００（Ｇ）＝３（Ｋｇ・Ｇ）＝３０（Ｎ：ニュートン）
−−−−−（１）
【００３１】
従来の光ディスク装置において、光ピックアップにこのような衝撃力が加わると、光ピックアップは駆動軸に支持されているため、その衝撃力はそのまま駆動軸に伝わり駆動軸５が撓め永久変形するという問題を有していた。実施の形態１において用いた駆動軸５の単品の耐力は１０Ｎであるため、前述の３０Ｎの衝撃力がそのまま駆動軸に加われば、耐力の３倍の衝撃力を受けることになり、駆動軸は確実に永久変形する。そのときの駆動軸の撓み量は、実験によれば約３ｍｍであった。
【００３２】
しかしながら、実施の形態１の光ディスク装置の構成においては、光ピックアップ部６に衝撃力が加わった場合、その衝撃力により光ピックアップ部６が移動し、光ピックアップ部６はその周りに所定距離を有して配設されているサポート部材に当接する。したがって、光ピックアップ部６は大きく移動することがなく、駆動軸５は永久変形するまで変形することがない。
【００３３】
具体的に説明すると、光ピックアップ部６に衝撃力が加わり、光ピックアップ部６が＋Ｘ方向に移動すると、凹部６ｄが距離０.２ｍｍを移動してシャーシ１のガイド部１ａの対向面１ｃと当接する。反対に、光ピックアップ部６が−Ｘ方向に移動すると、凸部６ｃが距離０.２ｍｍを移動してシャーシ１のリブ１ｂと当接する。また、光ピックアップ部６が＋Ｚ方向に移動すると、凸部６ｃが距離０.２ｍｍを移動してシャーシ１のリブ１ｂと当接する。反対に、光ピックアップ部６が−Ｚ方向に移動すると、光ピックアップ部６の下面が距離０.４ｍｍを移動して配線基板１１の上面と当接する。実施の形態１の光ディスク装置の構成においては、光ピックアップ部６の移動する量と駆動軸５の撓む量とはほぼ等しく構成されている。
【００３４】
以上のように、実施の形態１の光ディスク装置においては、振動や落下による衝撃が加えられたとしても、そのとき生ずる駆動軸５の撓み量は０.２〜０.４ｍｍの間に規制されているため、駆動軸５が永久変形する量（＝１ｍｍ）の半分以下に抑えられ、永久変形することが確実に防止されている。
【００３５】
《実施の形態２》
以下、本発明に係る実施の形態２の光ディスク装置を添付の図６から図９を用いて説明する。図６は実施の形態２の光ディスク装置を示す分解斜視図である。図７は実施の形態２の光ディスク装置における光ピックアップ部６とシャーシ１と配線基板１３の配置を示す断面図である。図８及び図９は実施の形態２における光ピックアップ部６とシャーシ１と下ケース１４との位置関係を示す拡大図である。
【００３６】
本発明に係る実施の形態２の光ディスク装置の説明において、前述の実施の形態１と同じ機能、構成を示す部品については、同じ番号を付与しその説明は省略する。実施の形態２の光ディスク装置は、実施の形態１の光ディスク装置よりさらに小型化及び薄型化を達成した装置である。実施の形態２の光ディスク装置においては、記録再生機能を有する装置について説明するが、再生機能のみの光ディスク装置にも適用可能である。
以下の実施の形態２の説明においては、光ディスクが水平方向に配置された状態で使用されることを前提で説明するが、これは実施の形態２の光ディスク装置における光ディスクの使用状態を水平方向に特定するものではなく、鉛直方向に使用することも可能である。
【００３７】
実施の形態２の光ディスク装置における実施の形態１の光ディスク装置の構成と異なる点は、配線基板１３と下ケース１４の形状である。実施の形態２の光ディスク装置における配線基板１３は、光ピックアップ部６が配設された位置に対応する部分が切り欠かれたＬ字形状を有している。また、配線基板１３上の実装部品は、上側（シャーシ１側）にのみ配設されている。配線基板１３の下側（下ケース１４側）には実装部品がないため、配線基板１３は下ケース１４に近接して配置されている。
【００３８】
実施の形態２の光ディスク装置においては、光ピックアップ部６の下方には配線基板１３が配設されておらず、光ピックアップ部６の下面と配線基板１３の下面が実質的に同一平面に配置されるよう構成されている。また、配線基板１３が下ケース１４に近接して配置されているため、実施の形態２の光ディスクは実施の形態１の光ディスク装置に比べて光ピックアップ部６と下ケース１４との間の距離が短く、薄型の形状を有している。
【００３９】
実施の形態２の光ディスク装置における光ピックアップ部６は、実施の形態１の光ディスク装置における光ピックアップ部６と同じ形状及び構成を有している。
図７から図９に示すように、駆動軸５の回転により駆動される光ピックアップ部６には、その一方の端部に係合部である凹部６ｄが形成されており、他方の端部に２つの当接部である凸部６ｃ、６ｃが形成されている。凹部６ｄはシャーシ１に形成されたガイド部１ａを隙間なく挟むように構成されている。また、２つの凸部６ｃ、６ｃの上方には、シャーシ１に直線上に形成されたリブ１ｂが所定間隔を有して配設されている。さらに、光ピックアップ部６の下方には下ケース１４が所定間隔を有して配設されている。
【００４０】
以上のように、実施の形態２の光ディスク装置においては、光ピックアップ部６のネジ孔６ｂ、６ｂに駆動軸５が螺合して光ピックアップ部６が駆動されるとともに、光ピックアップ部６の外面から所定距離を有してシャーシ１のリブ１ｂや配線基板１１のサポート部材が配設されている。また、光ピックアップ部６の一方の端部に設けられている凹部６ｄは、シャーシ１に形成されたガイド部１ａに対して上下方向においては隙間なく挟むように構成されている。しかし、凹部６ｄとガイド部１ａとの係合において、水平方向ではガイド部１ａの対向面１ｃと凹部６ｄとの間が所定間隔を有しており、ガイド部１ａの対向面がサポート部材となっている。実施の形態２においては、ガイド部１ａ、リブ１ｂ、下ケース１４がサポート部である。
【００４１】
図７から図９において、駆動軸５の中心を光ピックアップ部６の基準点として、Ｘ方向（図７における水平面において、光ピックアップ部６の移動方向と直交する方向）、Ｚ方向（図７における水平面に直交する方向）を示し、光ピックアップ部６の外面からそれぞれのサポート部材までの距離を示している。
【００４２】
図８及び図９においては、光ピックアップ部６とシャーシ１のガイド部１ａの対向面１ｃとの水平方向の隙間を記号「Ａ」で示し、この隙間Ａを＋Ｘ方向の隙間とする。光ピックアップ部６とシャーシ１のリブ１ｂとの水平方向の隙間を記号「Ｂ」で示し、この隙間Ｂを−Ｘ方向の隙間とする。光ピックアップ部６とシャーシ１のリブ１ｂとの鉛直方向の隙間を記号「Ｃ」で示し、この隙間Ｃを＋Ｚ方向の隙間とする。さらに、光ピックアップ部６と下ケース１４の上面との隙間を記号「Ｅ」で示し、この隙間Ｅを−Ｚ方向の隙間とする。
【００４３】
以下、実施の形態２の光ディスク装置における実際の寸法と材質を示す。
駆動軸５は、実施の形態１と同じ構成であり、その直径は１.３ミリであり、材質はＳＵＳ４２０である。光ピックアップ部６の重量は約３グラムである。光ピックアップ部６とシャーシ１の＋Ｘ方向の隙間Ａは約０.２ｍｍであり、−Ｘ方向の隙間Ｂは約０.２ｍｍであり、＋Ｚ方向の隙間Ｃは約０.２ｍｍであり、−Ｚ方向の隙間Ｄは約０.５ｍｍに設定されている。
駆動軸５の耐力は、前述の実施の形態１と同じであるため、撓み量１ｍｍ、押圧力１０Ｎ（＝１ｋｇ）である。
【００４４】
以上のように構成された実施の形態２の光ディスク装置の製品出荷後の輸送途中において、振動や衝撃が製品である光ディスク装置に加わると、構成部品の各々に、（部品の重量）×（衝撃重力加速度値）で示される力が加わる。
しかしながら、実施の形態２の光ディスク装置の構成においては、光ピックアップ部６に衝撃力が加わった場合、その衝撃力により光ピックアップ部６が移動し、光ピックアップ部６がその周りに所定距離を有して配設されているサポート部材に当接する。したがって、光ピックアップ部６は大きく移動することがなく、駆動軸５は永久変形するまで変形することがない。
【００４５】
具体的に説明すると、光ピックアップ部６に衝撃力が加わり、光ピックアップ部６が＋Ｘ方向に移動すると、凹部６ｄが距離０.２ｍｍを移動してシャーシ１のガイド部１ａの対向面１ｃと当接する。反対に、光ピックアップ部６が−Ｘ方向に移動すると、凸部６ｃが距離０.２ｍｍを移動してシャーシ１のリブ１ｂと当接する。また、光ピックアップ部６が＋Ｚ方向に移動すると、凸部６ｃが距離０.２ｍｍを移動してシャーシ１のリブ１ｂと当接する。反対に、光ピックアップ部６が−Ｚ方向に移動すると、光ピックアップ部６の下面が距離０.５ｍｍを移動して下ケース１４の上面と当接する。実施の形態２の光ディスク装置の構成においては、光ピックアップ部６の移動する量と駆動軸５の撓む量とはほぼ等しく構成されている。
以上のように、実施の形態２の光ディスク装置においては、振動や落下による衝撃が加えられたとしても、そのとき生ずる駆動軸５の撓み量は０.２〜０.５ｍｍの間に規制されているため、駆動軸５が永久変形する量（＝１ｍｍ）の半分以下に抑えられ、永久変形することが確実に防止されている。
【００４６】
なお、前述の実施の形態１、２の光ディスク装置において、光ピックアップ部とサポート部材との間の隙間Ａ、Ｂ、Ｃの各寸法を各々０.２ｍｍに設定し、隙間Ｄを０.４ｍｍに設定し、隙間Ｅを０.５ｍｍに設定した例を用いて説明したが、本発明の光ディスク装置における隙間はこれらの数値に限定されるものではなく、駆動軸の寸法、材質で決定される耐力の範囲内となるよう設定されていればよい。
【００４７】
本発明に係る光ディスク装置においては、光ピックアップ部をターンテーブルに載置された光ディスクの直径方向へ移動させるための送り機構を小型化及び薄型化するために、送り機構における駆動軸を細く形成している。しかし、本発明に係る光ディスク装置においては、光ピックアップ部の大幅な移動を防止するためのサポート部材が設けられているため、製品の搬送中や操作中において、振動や落下による衝撃等が製品に加えられたとしても、細い駆動軸が変形することはなく、小型化及び薄型化を達成した光ディスク装置を実現することが可能となる。
【産業上の利用可能性】
【００４８】
本発明に係る光ディスク装置は、光ピックアップ部をターンテーブルに載置された光ディスクの直径方向へ移動させるための送り機構を小型化及び薄型化を達成するための装置に有用である。
【図面の簡単な説明】
【００４９】
【図１】本発明に係る実施の形態１の光ディスク装置を示す分解斜視図である。
【図２】本発明に係る実施の形態１の光ディスク装置における光ピックアップ部を示す斜視図である。
【図３】本発明に係る実施の形態１の光ディスク装置における主要部の配置を示す断面図である。
【図４】本発明に係る実施の形態１の光ディスク装置における光ピックアップ部の近傍を拡大して示した断面図である。
【図５】本発明に係る実施の形態１の光ディスク装置における光ピックアップ部の近傍を拡大して示した断面図である。
【図６】本発明に係る実施の形態２の光ディスク装置を示す分解斜視図である。
【図７】本発明に係る実施の形態２の光ディスク装置における主要部の配置を示す断面図である。
【図８】本発明に係る実施の形態２の光ディスク装置における光ピックアップ部の近傍を拡大して示した断面図である。
【図９】本発明に係る実施の形態２の光ディスク装置における光ピックアップ部の近傍を拡大して示した断面図である。
【図１０】従来の光ディスク装置を示す断面図である。
【符号の説明】
【００５０】
１    シャーシ
１ａ  ガイド部
１ｂ  リブ
２    スピンドルモータ
３    ターンテーブル
４    送り機構
５    駆動軸
６    光ピックアップ部
６ａ  レンズ
６ｂ  ネジ孔
６ｃ  凸部
６ｄ  凹部
７    光ディスク
８    ミニディスクケース
９    ホルダー
１０    上蓋
１１    配線基板
１２    下ケース
１３    配線基板
１４    下ケース
【図１】
2005122827.tif 000003
【図２】
2005122827.tif 000004
【図３】
2005122827.tif 000005
【図４】
2005122827.tif 000006
【図５】
2005122827.tif 000007
【図６】
2005122827.tif 000008
【図７】
2005122827.tif 000009
【図８】
2005122827.tif 000010
【図９】
2005122827.tif 000011
【図１０】
2005122827.tif 000012